(57)【要約】      （修正有）【課題】通常持ち歩くことが多い化粧道具に歯間に挟まった食物の小片等を除去するための楊枝機能を付加させた楊枝付き化粧道具を提供する。【解決手段】化粧道具、例えば口紅筆２０の後部から端部にかけてややテーパー状に成形し、先端に楊枝２０を着脱自在に係止すると共に、化粧道具本体胴部１０の少なくとも一部をくり抜いて替え楊枝収納部１５を形成すると共に、胴体部端部とテーパー状部基部に雌雄のねじ部を形成し、前記胴体部とテーパー状部とを螺合して、日常的の持ち歩く化粧道具に楊枝を組み合わせたことにより、歯間に挟まった食物の小片等をいつでも簡易に除去できる。【選択図】図１
2006102174.tif 000002
【特許請求の範囲】
【請求項１】
化粧道具の端部に楊枝を着脱自在に係止することを特徴とする楊枝付き化粧道具。
【請求項２】
化粧道具を口紅筆とし、前記口紅筆の端部をテーパー状に成形し、先端に楊枝を着脱自在に係止可能とすることを特徴とする請求項１記載の楊枝付き化粧道具。
【請求項３】
化粧道具の本体部と端部とを別部材とし、本体部の少なくとも一部をくり抜いて替え楊枝収納部を形成すると共に本体部と端部の合わせ部に雌雄のねじ部を形成し、前記本体部と端部とを螺合してなることを特徴とする請求項１又は請求項２記載の楊枝付き化粧道具。
【請求項４】
少なくとも前記螺合部には滑り止めにもなる複数のリング状凹凸部が形成され、前記凹凸部を前記楊枝が係止された前記端部を覆う保護ケースの位置決めとして機能することを特徴とする請求項３記載の楊枝付き化粧道具。
【発明の詳細な説明】
【技術分野】
【０００１】
本発明は、楊枝付き化粧道具、例えば一方端部に楊枝を係止してなる口紅筆に関するものである。
【背景技術】
【０００２】
外出先で食事をした場合などに、食べかすが歯の間に挟まった様な場合には、非常に気になるものである。
【０００３】
これらの食べかすを取る道具として楊枝があるが、人前で楊枝を使うことには抵抗があるものであり、特に女性は食事を終わった時であっても人前で楊枝を使うのをためらい、舌の先で取る等の努力を行っているのが現状である。
【０００４】
また、食事終了後に楊枝を使いたくなったような場合には、楊枝を持っていることは少なく、ときには、洗面所にかけこみ、爪やヘアーピンまでも使って食べかすを取っている人までいた。
【０００５】
携帯用の楊枝や歯間ブラシが発売されているが、通常楊枝だけを持ち歩くことはほとんどなく、常にかばんやバックの中にあるとは限らない。またその形状もとても優雅とはいえない。例えば、楊枝機能を備える専用の道具として例えば特許文献１に記載の道具は、単に歯間に挟まった食物の小片等を除去するだけの作用の他に、簡易な小歯ブラシ的な要素を具備した再使用可能なブラシ付楊枝を提供していた。
【０００６】
【特許文献１】実開平７−４２３１０号公報
【発明の開示】
【発明が解決しようとする課題】
【０００７】
しかしながら、小型の楊枝などであっても常時所持することは少なく、ましてや特許文献１のように歯間ブラシがついた物は形状も大型であり、このような物を歯間に挟まった食物の小片等を除去するだけのために常時携帯することはない。家庭で使用することはあるが、本当に必要となる外出先ではこのような専用の楊枝、ましてや歯間ブラシ付きの楊枝等は使用されないのが実情であった。
【０００８】
本発明は、以上の課題に鑑みてなされたもので、特に女性が外出中であっても、歯間に挟まった食物の小片等を容易に除去することができるようにすることを目的とし、係る目的を達成する一手段として日常的に持ち歩く物である化粧道具に楊枝機能を合わせ持たせることにより、女性が外出中に特別に楊枝のみを持ち歩かなくても容易に、かつさりげなく歯間に挟まった食物の小片等を除去することができるようにすることを目的とする。
【０００９】
上述の課題を解決し目的を達成するため、本発明に係わる一発明の実施の形態例では例えば以下の構成を備える。
【００１０】
即ち、女性が通常持ち歩く化粧道具の端部に楊枝を着脱自在に係止することを特徴とする。
【００１１】
そして例えば、化粧道具を口紅筆とし、前記口紅筆の端部をテーパー状に成形し、先端に楊枝を着脱自在に係止可能とすることを特徴とする。
【００１２】
また例えば、化粧道具の本体部と端部とを別部材とし、本体部の少なくとも一部をくり抜いて替え楊枝収納部を形成すると共に本体部と端部の合わせ部に雌雄のねじ部を形成し、前記本体部と端部とを螺合してなることを特徴とする。
【００１３】
更に例えば、少なくとも前記螺合部には滑り止めにもなる複数のリング状凹凸部が形成され、前記凹凸部を前記楊枝が係止された前記端部を覆う保護ケースの位置決めとして機能することを特徴とする。
【発明の効果】
【００１４】
本発明によれば、日常的に持ち歩くもの、例えば化粧道具に楊枝機能を合わせ持たせることにより、女性が外出中に特別に楊枝のみを持ち歩かなくても容易に、かつさりげなく歯間に挟まった食物の小片等を除去することができる。
【００１５】
例えば、女性が通常常時携帯する化粧道具に楊枝機能を持たせることにより、女性が外出中に化粧道具を取り扱うことに抵抗はなく、特別に楊枝のみを持ち歩かなくても容易に、かつさりげなく歯間に挟まった食物の小片等を除去することができる。
【００１６】
更に、化粧道具と楊枝とが一体となっているため、例えば洗面所の鏡の前でも、手鏡を使いながらでも。抵抗なく使用することができる。
【発明を実施するための最良の形態】
【００１７】
〔第１の実施の形態例〕
以下に本発明に係る一発明の実施の形態例を図１及び図２を参照して詳細に説明する。図１は、本発明に係る一発明の実施の形態例の楊枝付き化粧道具の概略構成を示す概念図、図２は本実施の形態例の構造例を説明するための分解図である。
【００１８】
図１及び図２において、１０は化粧道具である口紅筆の胴体部であり、一部が空洞状にくりぬかれており、空洞部１５内に替え楊枝４１を収納できるように構成されている。胴体部先端には口紅筆２０が植設されている。口紅筆部には筆キャップ２５が係止可能に構成されており、通常は筆キャップ２５を付けて筆部分を保護している。そして、口紅筆２０の使用時に筆キャップ２５を外して使用する。
【００１９】
胴体部１０の後端部には楊枝係止部材３０が配設されている。楊枝係止部材３０の基部には、胴体部１０の空洞部１５の開口部に配設されている雌ねじ部１１に螺合する雄ねじ部３１が形成されている。この雄ねじ部３１に楊枝係止部材３０の雌ねじ部を螺合させて胴体部１０に固着すると共に、空洞部１５の蓋の役目を担っている。
【００２０】
そして、螺合部分には、複数のリング状凹凸部１２が形成されており、滑り止め効果を提供している。このリング状凹凸部１２は、胴体部１０と楊枝係止部材３０との接合面及びその前後に形成することが望ましい。
【００２１】
なお、このリング状凹凸部１２のリング状凸部１２ａ，１２ｂ，１２ｃは、表面に滑り止めの細かい長手方向溝を形成しても良い。図の例では３つが図示されているが、このリング状凸部の数に限定はなく、４つあるいはそれ以上であってもその数に限定はない。このリング状凹凸部１２のリング状凸部表面も、単に滑り止めの細かい長手方向溝を形成しても良い。
【００２２】
楊枝係止部材３０は、本実施の形態例では基部から先端に向かって徐々に細くなるようにテーパー状に成形されており、先端部で楊枝部材４０を係止するように構成されている。楊枝部材４０の係止構造は、例えば、楊枝係止部材３０の先端部に楊枝部材収納凹部を形成してその中に楊枝部材４０を嵌入して固定する構造とすればよい。
【００２３】
あるいは、図３に示すように、楊枝係止部材３０の中心部に先端部がやや小径の貫通孔３５を設け、少なくとも基部が貫通孔３５先端部の径よりやや太径の楊枝部材４２を貫通させて強く引き出すようにして固定しても良い。
【００２４】
基部側から楊枝部材を貫通させて強く引き出すようにして固定する構造の場合には、使用状態で確実に楊枝部材を固定する必要があるため、一例として、図３の４２ａに示すように、楊枝部材４２の少なくとも基部に貫通孔３５の径よりやや大きなふくらみ部を設けた構成とするのがよい。
【００２５】
そして、このふくらみ部を設けた構造の楊枝部材４２の先端部を貫通孔内に貫通させ、楊枝係止部材３０先端部より引き出すことにより、ふくらみ部４２ａが貫通孔３５の内壁に圧接された状態となり、ふくらみ部４２ａの弾性力で楊枝部材４２を楊枝係止部材３０に確実に係止することができる。
【００２６】
このふくらみ部４２ａを備える楊枝部材４２はプラスチック素材や木製材料などで形成できるほか、可撓性を有する金属（例えば、鋼線素材等でも可））で構成することもできる。但し、金属を用いる場合には、使用上の安全性から先端部を鋭角とせずにやや鈍角とすることが考えられる。
【００２７】
この楊枝部材を楊枝係止部材３０に係止する方法、機構は以上の例に限定されるものではなく、任意の方法、機構で係止して良いことは勿論である。例えば楊枝部材の基部に雄ねじ部を設け、楊枝係止部材３０側に雌ねじ部を設けて、楊枝部材を螺合させて固定しても良い。
【００２８】
また、楊枝係止部材３０の形状も図に示す例に限定されるものではなく、テーパー状に徐々に細くなる例に限定されるものではなく、途中まで太さが変わらず、先端でやや急に細くなる形状であっても、あるいは同じ太さのままであっても良い。先端部に楊枝部材４０，４２等が係止可能な構造であればその形態に限定はない。
【００２９】
また、本実施の形態例においては、楊枝係止部材３０及び楊枝部材４０、４２をカバーする楊枝キャップ４５が用意されており、楊枝キャップ４５の装着位置は、リング状凹凸部で規制されている。楊枝キャップ４５により、使用しないときに楊枝の先端で他の物を傷つけたり、取り出す際に負傷するようなことがないものとできる。
【００３０】
本実施の形態例は、以上の様に女性が常時携帯する化粧道具に楊枝機能を持たせることとし、特に楊枝機能を併せ持つ構成としても、使用感が損なわれず、かつ、楊枝として使用した時においても、使いやすい構造とできるものを種々考慮した結果、太さ、長さ等を勘案して口紅筆に楊枝機能を持たせることとしている。
【００３１】
口紅筆は、唇に対して用いるもので、指でつかんで使用する点で楊枝と同じような使い方をするものである。このため、既存の口紅筆の形状を大きく変えることなく、単に筆と反対側の端部に楊枝部材を係止した構造としただけで使用できる。よって、口紅筆として用いる場合においても、今までの筆と同じ構造であるため、他の製品と比較しても違和感なく用いることができる。
【００３２】
そして、楊枝として使用する場合においても、元々口紅筆が口の部分に対して操作しやすい形状、重さとなっているため長さなども適切であり、使用感の優れたものとできる。
【００３３】
かつ、口紅筆という化粧道具に楊枝機能が付加されているため、例えば洗面所で取り出したとしても、洗面所で化粧を直すことは普通に行われている動作であるため違和感がない。よって、口紅筆の他方端部の楊枝を使用しても周囲との違和感も少ない。
【００３４】
本実施の形態例では、楊枝部材４０の材質に特別の限定はないが、例えば、竹、黒もじの枝、プラスチックなどを用いることができ、例えば、ポリプロピレン、ポリスチレン、ポリアミド系合成繊維、ポリオレフィン系樹脂などで構成できる。
【００３５】
また、楊枝を例えば流行色に着色することにより、より嗜好にあったものとできる。あるいは、空洞部内に替え楊枝を収納できることから、各色の楊枝を取りそろえてその日の状態や訪問場所などに応じて最適な色の楊枝を係止できるようにしても良い。例えば、白、緑、黄、青、橙、ピンクなどその色に限定はない。着色剤は人間に対して安全性の確認されたものが使用されていることは勿論である。
【００３６】
また、口紅筆胴体部１０の材質も特に限定されるものではなく、例えば、プラスチックス、竹、あるいは木材をくりぬいた物であっても良くエボナイトであっても良い。あるいは、上記材料でできた外壁筒を用意し、この中に後端を雌ねじ加工した金属製の筒を嵌入させても良く、あるいは、金属製の筒に周囲を竹や木材などで覆うように構成しても良い。そして、胴体部１０の先端に口紅筆部分を嵌入して固定する。
【００３７】
楊枝係止部３０の少なくとも表面を口紅筆胴体部１０と同じ材質とすることにより、全体として統一されたデザインとできる。しかし、必ず材質を同じとする必要はなく、本実施の形態例ではリング状凹凸部か形成されていることから、胴体部１０と楊枝係止部材３０の色彩や材質を変えても、境界部分が不自然となることもない。
【００３８】
口紅筆部をカバーする筆キャップ２５と楊枝係止部をカバーする楊枝キャップ部４５について、その材質あるいは色に特別の制限はなく、例えば、透明なクリアケースであっても、着色されたものであっても、材料の色がそのまま現れたものであっても良く、材料もプラスチックス製、金属製など、任意の材料で構成できる。
【００３９】
形状についても特別の制限はなく、筆部分と楊枝部分が十分に保護され、容易に抜け落ちることがなければ、任意の形状とできる。
【００４０】
以上説明したように本実施の形態例によれば、特に女性が常時携帯することが多い口紅筆と楊枝を一体化させたことから、楊枝を使いたくなったときにいつでも利用できる。また例えば、移動中に楊枝を使いたくなっても、人前でなかなか使いづらいが、口紅筆と一体化しているため、洗面所などで取り出すときにも抵抗感が少なく、安心して楊枝を使うことができる。
【００４１】
〔他の実施の形態例〕
以上の説明では、口紅筆の胴体部１０に空洞部を設けてこの中に予備の楊枝を収納する構造であった。しかし、本発明は以上の例に限定されるものではなく、予備の楊枝を収納する構造を備えていない場合であっても良い。
【００４２】
この場合には、例えば楊枝を先端部から嵌入する構造を採用すれば、図１に示す第１の実施の形態例で楊枝係止部材と胴体部を螺合させる必要性がなくなるため、胴体部と楊枝係止部を一体化した構造とできる。一体化することにより構造的に非常に簡略化でき、廉価に構成できる。
【００４３】
更に、滑り止めの機能を持たせるために、図１に示す第１の実施の形態例ではリング状凹凸部１２を備える構成であった。しかし本発明は以上の例に限定されるものではなく、リング状凹凸部１２を全く備えない構成であっても良い。
【００４４】
更に、この場合において、リング状凹凸部１２を備えるのではなく滑り止め機能を発揮させることを希望する場合には、胴体部と楊枝係止部材との境界部近傍に滑り止め部材を配設すればよい。滑り止め部材は、摩擦係数の高い部材であれば任意の部材が採用できる。例えばゴム製部材で構成することが望ましい。
【００４５】
また、図１に示す第１の実施の形態例では、楊枝係止部材を先端に向かって徐々に細くなるテーパー状加工を行う例について説明した。確かにテーパー状に加工すると、重さも軽くでき、美観上も優れたものとなるが、加工を容易として低価格化の必要がある場合には先端部で細くなる構造であってもよい。
【００４６】
更に、以上の説明では、化粧道具の中で口紅筆と楊枝を一体化させる例について説明した。しかし、本発明は以上の例に限定されるものではなく、眉毛用筆であってもよく、また、ネイルアート用の筆であっても良い。各年代の女性が通常持ち歩く化粧道具と楊枝とを組み合わせれば良い。
【００４７】
更に、以上の説明した実施の形態例において、楊枝係止部材３０に係止されている楊枝部材４０，４２は、使用中等に中間部分、あるいは根本部分でおれてしまうこもが考えられる。楊枝部材が破損した場合には、楊枝係止部材３０内に残った楊枝部材４０，４２などの残存部分を取り外して新たな替え楊枝部材を装着する必要がある。
【００４８】
破損箇所が多く残っている場合には例えば指でつまんで取り外すことができるが、根本部分で折れたような場合には容易に取る外すことができない。そこで、このような場合に備えて、本実施の形態例においては、例えば先端部が鋼線で手許が持ちやすいように太くなっているプッシュピン型の楊枝部材取り外し用具を空洞部１５内に替え楊枝と共に収納しておく。
【００４９】
この楊枝取り外し部材は、例えば図３に示すふくらみ部を備える楊枝部材４２にように手許部分が持ちやすい形状で、先端部が鋭角で楊枝部材を刺して引き出したりすることができる形状とすることが望ましい。または短いまち針のような形状であっても良く、画鋲のような形状のプッシュピンであっても良い。
【００５０】
そして、楊枝部材が楊枝係止部材３０内に残存して折れたような場合に、この楊枝部材取り外し用具を空洞部１５より取り出し、楊枝の楊枝係止部材３０内への残存部分を掻き出すことにより、新たな替え楊枝部材を装着することができる。
【００５１】
図３に示すように、楊枝係止部材３０の中心部に先端部がやや小径の貫通孔３５を設け、少なくとも基部が貫通孔３５先端部の径よりやや太径の楊枝部材４２を貫通させて強く引き出すようにして固定している場合には、掻き出す必要はなく、先端側から楊枝部材を中に押し込むことにより、楊枝部材を取り外すことができる。この場合には、楊枝部材取り外し部材の先端部は、さほど鋭角にする必要はなく、楊枝部材を押し込むことができれば良い。空洞部１５内に収納する場合にはこの中に入るようにする必要性から手許部分の太さが定まる。
【図面の簡単な説明】
【００５２】
【図１】本発明に係る第１の実施の形態例を説明するための図である。
【図２】本実施の形態例の構造例を説明するための分解図である。
【図３】実施の形態例における楊枝係止機構の一構成例の詳細を説明するための図である。
【符号の説明】
【００５３】
１０    口紅筆の胴体部
１１    雌ねじ部
１２    リング状凹凸部
１２ａ，１２ｂ，１２ｃ    リング状凸部
１５    空洞部
２０    口紅筆
２５    筆キャップ
３０    楊枝係止部材
３１    雄ねじ部
３５    貫通孔
４０    楊枝部材
４１    替え楊枝
４２    ふくらみ部を備える楊枝
４５    楊枝キャップ
【図１】
2006102174.tif 000003
【図２】
2006102174.tif 000004
【図３】
2006102174.tif 000005